(57)【要約】【課題】製造工程等での汚れの付着のおそれがなく、加熱レトルト食品にも利用可能な、開口部での直線的な開封が可能な包装袋を提供する。【解決手段】ポリエチレンテレフタレートフィルムとシーラント層を少なくとも有する積層体のシーラント層の周縁部を貼り合わせてなる包装袋本体と、包装袋本体を直線的に切り裂いて開封する部位に、包装袋本体にわたって貼り合わされた直線カットテープを有する包装袋であって、包装袋本体の最外層がポリエチレンテレフタレートフィルムであり、直線カットテープは引き裂き異方性を持つ一軸延伸ポリエチレンテレフタレートフィルムを含む積層体またはフィルム単体であり、直線カットテープの包装袋本体に貼り付ける面と、包装袋本体の直線カットテープを貼り付ける部位にレーザ光照射によりヒートシール性が付与され、ヒートシールにより熱溶着されている包装袋。【選択図】図１
2017222393.tif 000002
【特許請求の範囲】
【請求項１】
ポリエチレンテレフタレートフィルムとシーラント層を少なくとも有する積層体のシーラント層の周縁部を貼り合わせてなる包装袋本体と、
包装袋本体を直線的に切り裂いて開封する部位に、包装袋本体にわたって貼り合わされた直線カットテープを有する包装袋であって、
包装袋本体の最外層がポリエチレンテレフタレートフィルムであり、
直線カットテープは引き裂き異方性を持つ一軸延伸ポリエチレンテレフタレートフィルムを含む積層体またはフィルム単体であり、
直線カットテープの包装袋本体に貼り付ける面と、包装袋本体の直線カットテープを貼り付ける部位にレーザ光照射によりヒートシール性が付与され、ヒートシールにより熱溶着されていることを特徴とする包装袋。
【請求項２】
包装袋本体の最外層のポリエチレンテレフタレートフィルムにガスバリア層が設けられていることを特徴とする請求項１に記載の包装袋。
【請求項３】
ガスバリア層が無機化合物層であることを特徴とする請求項２に記載の包装袋。
【発明の詳細な説明】
【技術分野】
【０００１】
本発明は、包装袋に関するものである。とくにプラスチックフィルムをベースとした包装であって開封性に優れ、製造工程での汚れを防ぐことが出来、レトルト食品にも利用可能な包装袋に関するものである。
【背景技術】
【０００２】
包装袋はプラスチックフィルムを基材とする単体または積層体から構成されるものが広く普及しており、さまざまな形態のものが、幅広い用途に用いられている。一方、このようなプラスチックフィルムやその積層体を利用した包装袋の課題として、開封性があげられる。
【０００３】
キャップや蓋といった明確な開口部材が設けられているボトルや壜と異なり、包装袋は使用者自らが包装袋を切り裂いて開封する使用方法が一般的である。その結果、使用者によっては開封を行うことが出来ない、また開封できた場合でも、きれいに開封できず、内容物をこぼす、飛散させるなどして内容物を利用できない、周辺を汚す、内容物が熱い場合にはやけどをする、などといった問題があった。
【０００４】
そこで包装袋の開封性を向上するため、易開封性を持たせた包装袋が知られている。易開封性を持たせる手段として、例えば、包装袋の外縁の、開封を開始する位置に切裂きのきっかけとなる切込みを設け、開封が直線的に進むように誘導するため、包装袋に線状に脆弱性を付与した易開封線を設ける、などが行われている。
【０００５】
あるいはまた、特定の方向に切裂きが進みやすい性質を持った直線カット性のフィルム片を、包装袋に貼り付けるなどして、そのフィルム片上を切裂きが進むようにすることで、直線的に開封が行えるようにすることなども行われている。
【０００６】
たとえば特許文献１には、直線カット性の樹脂フィルムを、包装袋本体の開口部近傍に装着する易開封袋が開示されている。しかしながら、製造工程において直線カット性のフィルムを粘着剤や接着剤を用いて貼り付ける際、貼り付けに用いる圧着ロールに粘着剤や接着剤がはみ出して付着し、これが再び包装袋に付着して、そこにさらに流通過程等で異物が付着して汚染してしまう場合があり、問題となっていた。また粘着剤は耐熱性が低く、加熱を伴うレトルト食品向けの包装袋には使用できないという問題もあった。
【先行技術文献】
【特許文献】
【０００７】
【特許文献１】特開平１１−２０８６８７号公報
【発明の概要】
【発明が解決しようとする課題】
【０００８】
本発明はかかる状況に鑑みてなされたものであり、製造工程等での汚れの付着のおそれがなく、加熱レトルト食品にも利用可能な、開口部での直線的な開封が可能な包装袋を提供することを課題とする。
【課題を解決するための手段】
【０００９】
上記のような課題を解決するため、請求項１に記載の発明は、
ポリエチレンテレフタレートフィルムとシーラント層を少なくとも有する積層体のシーラント層の周縁部を貼り合わせてなる包装袋本体と、
包装袋本体を直線的に切り裂いて開封する部位に、包装袋本体にわたって貼り合わされた直線カットテープを有する包装袋であって、
包装袋本体の最外層がポリエチレンテレフタレートフィルムであり、
直線カットテープは引き裂き異方性を持つ一軸延伸ポリエチレンテレフタレートフィルムを含む積層体または単体であり、
直線カットテープの包装袋本体に貼り付ける面と、包装袋本体の直線カットテープを貼り付ける部位にレーザ光照射によりヒートシール性が付与され、ヒートシールにより熱溶着されていることを特徴とする包装袋である。
【００１０】
また請求項２に記載の発明は、
包装袋本体最外層のポリエチレンテレフタレートフィルムにガスバリア層が設けられていることを特徴とする請求項１に記載の包装袋である。
【００１１】
また請求項３に記載の発明は、
ガスバリア層が無機化合物層であることを特徴とする請求項２に記載の包装袋である。
【発明の効果】
【００１２】
本発明においては、包装袋を開封する部位に直線カットテープを貼り付けることで直線的にきれいな切裂きを行うことが可能となるばかりでなく、直線カットテープの貼り付けが、直線カットテープの包装袋本体に貼り付ける面と、包装袋本体の直線カットテープを貼り付ける部位にレーザ光照射によりヒートシール性が付与されてヒートシールにより熱溶着されているため、袋の製造時に直線カットテープを包装袋本体に貼り付ける際に、粘着剤などを使用せず、粘着剤のはみ出しと圧着ローラーなどの圧着部材への付着と再付着による汚れのおそれがないという効果を奏する。
【００１３】
また、耐熱性の低い粘着剤を使用しないため、使用時に加熱をするレトルト食品用途にも適用が可能となるという効果を奏する。
【００１４】
また、ポリエチレンテレフタレートフィルムにガスバリア層を設けることにより、内容物の酸化などを防止し、保存性をさらに高めることが出来る。
【００１５】
また、ガスバリア層を無機化合物層とすることで、包装袋本体を透明にすることが可能となるので内容物を目視で確認できるようになり、また、ガスバリア層を金属箔や金属蒸着膜などにした場合には使用できなかった、電子レンジで加熱する用途にも適用でき、廃棄後の処分も容易となるためさらに好適である。
【図面の簡単な説明】
【００１６】
【図１】本発明の包装袋の一実施形態を示す全体平面模式図。
【図２】本発明の包装袋の部分断面図。
【図３】本発明の包装袋の開封途中の状況を示す説明図。
【発明を実施するための形態】
【００１７】
以下本発明を実施するための形態について、図面を参照しながら詳細な説明を加える。なお本発明はここに示した例にのみ限定されるものではない。
【００１８】
図１は本発明に係る包装袋の一実施形態を説明するための全体平面模式図である。包装袋（１）は、最外層がポリエチレンテレフタレートフィルムでありシーラント層を有する包装袋本体（２）と、その表面に貼り付けられた引き裂き異方性を持つ一軸延伸ポリエチレンテレフタレートフィルム製の直線カットテープ（３）を有している。
【００１９】
ポリエチレンテレフタレートフィルムは、二軸延伸ポリエチレンテレフタレートフィルムを用いることができる。この場合フィルム強度が比較的大きく、熱による伸縮も少ないことから、積層体および包装袋の製造において安定した生産をすることができるため、より好ましく用いられる。
【００２０】
また二軸延伸ポリエチレンテレフタレートフィルムを用いることによって、包装袋としての強靭性も備わるために、包装袋を使用するそれぞれの場面において好ましい結果となる。
【００２１】
ポリエチレンテレフタレートフィルムを最外層のフィルムとして使用して包装袋を構成すると、それだけでもポリオレフィン系の樹脂フィルムを使用する場合に比べて、ガスバリア性能が向上する効果がある。
【００２２】
包装袋本体（２）は表側の積層体（１０）と裏側の積層体（図示せず）の周縁部（６）をヒートシールして内側に内容物を収納する収納部（７）が設けられている。
【００２３】
積層体を構成する際には、包装袋の用途、要求品質に合わせて材料構成や層構成を設計することができる。たとえば、包装袋を内容物が外から見えなくするには、隠蔽層や着色層を設けることができ、また内容物や商品に関する情報やイメージを外側から見える層に、印刷層として設けることができる。
【００２４】
実際の充填工程に用いる場合には、周縁部のうち一辺を充填口として開口させておき、そこから内容物を充填した後、開口部分をヒートシールして密封する。
【００２５】
包装袋本体（２）の周縁部に、包装袋を切り裂いて開封する際の開始点となる切込み（４）が設けられており、切込み（４）の部位から望ましい開封を示す仮想直線（９）上に対向する周縁部まで包装袋本体（２）にわたって直線カットテープ（３）が貼り付けられている。
【００２６】
直線カットテープ（３）には、切裂きが直線的に進行するのを促すため、延伸方向では容易に引き裂くことができるが、それと直交する方向には引き裂きが困難な、引き裂き異方性を持つ一軸延伸ポリエチレンテレフタレートフィルムが用いられる。図１においては、望ましい開封を示す仮想直線（９）の方向に容易に引き裂くことができるように設けてある。直線カットテープは裏側の積層体の略同一の位置にも同様のものが貼り付けられている。
【００２７】
図２は、図１の包装袋を矢印Ａの部位で切断した断面を拡大して示した部分拡大模式図である。積層体（１０）、（２０）は、最外層のポリエチレンテレフタレートフィルム（１１）、（２１）とシーラント層（１３）、（２３）が積層され、最外層のポリエチレンテレフタレートフィルム（１１）、（２１）の包装袋内側に当る面にはガスバリア層（１２）、（２２）を設けることができる。
【００２８】
ガスバリア層を設けることにより、ガスバリア性に優れ、たとえば酸素透過度や水蒸気透過度などを低く抑えることができるため、内容物の保存性に優れる包装袋を実現することができる。
【００２９】
ガスバリア層には、アルミニウム箔などの金属箔をガスバリア層として用いることができる。金属箔を用いることが適当ではない場合には、ガスバリア性を有するガスバリアフィルムを貼りあわせて積層体を構成しても良い。金属箔やガスバリアフィルムは、接着剤を用いて、たとえばドライラミネーション法を用いて積層することもでき、あるいは押出機を用いて熱可塑性樹脂を押し出して積層することもできる。
【００３０】
またポリエチレンテレフタレートフィルムの包装袋の内面側となる面にガスバリア層として直接無機化合物層を設けることができる。このガスバリア層は無機化合物の蒸着層、コーティング層で構成することができ、ポリエチレンテレフタレートフィルムにアンカーコート層を設けた後、蒸着層、コーティング層を順次設ける。
【００３１】
アンカーコート層には、例えばウレタンアクリレートを用いることができる。アンカーコート層の形成には、樹脂を溶媒に溶解した塗料を、グラビアコーティングなど印刷手法を応用したコーティング方法を用いるほか、一般に知られているコーティング方法を用いて塗膜を形成することができる。
【００３２】
蒸着層を形成する方法としては，ＳｉＯやＡｌＯなどの無機化合物を真空蒸着法を用いて、アンカーコート層を設けた基材フィルム上に蒸着層を形成し、真空蒸着法による無機化合物層を形成することができる。
【００３３】
無機化合物層は真空蒸着法による蒸着層のみでもガスバリア性を有するが、コーティング法による無機化合物層のコーティング層を真空蒸着法による無機化合物層である蒸着層に重ねて形成し、ガスバリア層とすることができる。
【００３４】
無機化合物層のコーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤を塗布し、加熱乾燥してコーティング法による無機化合物層を形成しコーティング層とすることができる。このとき、コーティング剤にはシランモノマーを添加しておくことによってアンカーコート層との密着の向上を図ることができる。
【００３５】
これら２層の複合により、真空蒸着法による無機化合物層とコーティング法による無機化合物層との界面に両層の反応層を生じるか、或いはコーティング法による無機化合物層が真空蒸着法による無機化合物層に生じるピンホール、クラック、粒界などの欠陥あるいは微細孔を充填、補強することで、緻密構造が形成されるため、高いガスバリア性、耐湿性、耐水性を実現するとともに、変形に耐えられる可撓性を有するため、包装材料としての適性も具備することができる。
【００３６】
またガスバリア層としてＳｉＯを用いる場合には透明であるために、積層体を構成する他の層が透明であれば、内容物を包装袋の外側から目で見ることが可能である。また金属層を含まないため、電子レンジでの加熱調理用途にも適用が可能である。これらは、包装袋の用途、要求品質によって適宜選択し、使い分けをすればよい。
【００３７】
直線カットテープ（３）、（３３）が最外層のポリエチレンテレフタレートフィルムに貼り付ける部位（５）、（２５）は、直線カットテープ（３）、（３３）及び最外層のポリエチレンテレフタレートフィルム（１１）、（２１）共にレーザ光照射によりヒートシール性が付与され、粘着剤や接着剤を介さずに熱溶着されている。
【００３８】
粘着剤や接着剤を介していないため、粘着剤や接着剤のはみ出しによる汚れが付着することがなく、粘着剤を使用されていないことから、加熱を伴うレトルト食品用途にも支障なく利用することが可能である。
【００３９】
ヒートシール性の発現は、連続照射タイプのレーザ光を用いてヒートシール性を付与する部分に描画、照射して行なう。レーザ光はエネルギーが効率的にポリエチレンテレフタ
レートフィルム層に吸収されやすい赤外線波長を有する、たとえば炭酸ガスレーザを用いることができる。これによってエネルギー効率が高く、かつ安全性の高い、ヒートシール性を実現することができる。
【００４０】
また赤外線波長を有するレーザ光であればレーザ発振器は特定の形式のものに限定するものではない。レーザ光が照射された部分にはポリエチレンテレフタレートフィルムの変質によってヒートシール性が発現する。
【００４１】
したがって、包装袋本体の溶着部（８）、（３８）に選択的にレーザ照射を行なうことによってより効率的にヒートシール性付与を行なうことができる。またレーザ光の照射は、連続線や断続線、あるいは点状のパターンを描画する形で照射することができる。あるいは面状の照射を行なうこともできる。このような形状はレーザ光のスポット径、スポット形状などを適宜設定して形成することができる。
【００４２】
図３は、本発明の包装袋を実際に開封した場合の、開封途中の状態を示した部分斜視模式図である。切込み（４）から、直線カットテープ（３）、（３３）上を切裂きが進むことにより、内容物を注出するための開口部（１５）が形成される。
【００４３】
直線カットテープ（３）、（３３）は、望ましい開封を示す仮想直線方向に引き裂きが進みやすいため、切裂きを直線的に行うことができる。
【００４４】
このように、本発明によればポリエチレンテレフタレートフィルムを最外層とした積層体からなる包装袋であって、開封性に優れ、製造工程等での汚れの発生を防ぐことができ、レトルト食品にも利用可能な包装袋を提供することが可能である。
【実施例】
【００４５】
以下実施例に基づいて、本発明をさらに具体的に説明する。ただし、本発明はこれらの例にのみ限定されるものではない。
【００４６】
＜実施例１＞
図１に示す包装袋の試験体を、下記条件にて作成した。
・直線カットテープ
通常のポリエチレンテレフタレートフィルム（１２μｍ）に引き裂き異方性ポリエチレンテレフタレートフィルム（エンブレットＰＣ（ユニチカ製））（１２μｍ）を貼り合せ、通常のポリエチレンテレフタレートフィルム表面の全面にレーザ照射加工を行ってヒートシール性を付与し、５ｍｍ幅にスリットし、直線カットテープとした。
・包装袋本体
ポリエチレンテレフタレートフィルム（１２μｍ）／
Ａｌ箔（７μｍ）／
無延伸ポリプロピレン樹脂シーラント層（３０μｍ）
の順で積層し作成した袋本体の、最外面となるポリエチレンテレフタレートフィルムの直線カットテープを貼り付ける部位に幅５ｍｍのレーザ照射加工を施し、ヒートシール性を付与した。
・レーザ照射加工はいずれも、キーエンス社製炭酸ガスレーザ装置ＭＬ−Ｚ９５１０により出力２１Ｗでレーザ照射加工を行った。
・直線カットテープと包装袋本体の、ヒートシール性を付与した部位を向かい合わせて熱溶着し、試験体とした。
【００４７】
試験体を切込みから手指で切り裂いて、以下の評価基準により切裂き試験を行ったところ、切裂きが直線状にでき、良好な開封が行えた。
【符号の説明】
【００４８】
１  ・・・・・・包装袋
２  ・・・・・・包装袋本体
３、３３  ・・・開封ガイドテープ
４  ・・・・・・切込み
６  ・・・・・・周縁部
７  ・・・・・・収納部
８、３８  ・・・溶着部
９  ・・・・・・望ましい開封を示す仮想直線
１０、２０  ・・積層体
１１、２１  ・・ポリエチレンテレフタレートフィルム
１２、２２  ・・バリア層
１３、２３  ・・シーラント層
１５  ・・・・・開口部
Ａ  ・・・・・・断面図の切断位置
【図１】
2017222393.tif 000003
【図２】
2017222393.tif 000004
【図３】
2017222393.tif 000005